(57)【要約】【課題】電子機器の取扱い操作手順をガイダンスを受けながら取得する。【解決手段】ＰＣ１１は内部メモリに携帯電話１０の各種機能の取扱い説明情報を予め記憶する。入力部２０３を介して携帯電話１０の実行を所望する機能が指定されると、該所望機能に対応する取扱い説明情報を読出して、これを用いて所望機能を実行するための操作ガイダンス情報を出力部２０１に表示する。表示された操作ガイダンス情報に基づき操作者が携帯電話１０を操作すると、ＰＣ１１はその操作内容をケーブル１３を介して受信し、受信した操作内容を読出されている取扱い説明情報に基づき誤りないかチェックし、その結果を出力部２０１にメッセージ表示するか音声出力部２０９により音声出力する。【選択図】        図６
2004310515.tif 000002
【特許請求の範囲】
【請求項１】
操作内容を受付ける操作内容受付部を有する電子機器と通信する通信手段と、
前記電子機器の各種機能の取扱い説明情報を記憶する記憶手段と、
前記電子機器の所望機能に対応する前記記憶手段中の取扱い説明情報を用いて前記所望機能を実行するための操作ガイダンス情報を出力するガイダンス出力手段と、
前記ガイダンス出力手段により前記操作ガイダンス情報が出力されたとき、前記通信手段を介して前記操作内容受付部により受付けられた実際の操作内容を受信して、受信した操作内容を前記取扱い説明情報に基づきモニタし、モニタ結果を出力するモニタ出力手段とを備える、電子機器の取扱いガイダンス装置。
【請求項２】
前記操作内容が前記取扱い説明情報に基づきモニタし誤っている場合には、前記モニタ結果は誤操作である旨を報知する情報を含む、請求項１に記載の電子機器の取扱いガイダンス装置。
【請求項３】
前記操作内容が前記取扱い説明情報に基づきモニタし誤っている場合には、前記モニタ結果は正しい操作内容をアドバイスする情報を含む、請求項１または２に記載の電子機器の取扱いガイダンス装置。
【請求項４】
前記モニタ結果は、前記操作部になされる実際の操作内容を前記電子機器の画像を用いてリアルタイムに表示する情報を含む、請求項１から３のいずれか１項に記載の電子機器の取扱いガイダンス装置。
【請求項５】
前記操作内容受付部は、外部から操作されて操作内容を受付ける外部操作部を含み、
前記操作ガイダンス情報は、前記外部操作部の画像を含み、
前記ガイダンス出力手段は、
前記所望機能を実行するために操作されるべき部分を指示するために、該部分を前記画像において所定態様で表示することを特徴とする、請求項１から４のいずれか１項に記載の電子機器の取扱いガイダンス装置。
【請求項６】
前記操作内容受付部は、音声により操作内容を受付ける部分を含む、請求項１から４のいずれか１項に記載の電子機器の取扱いガイダンス装置。
【請求項７】
前記ガイダンス出力手段は、前記操作ガイダンス情報を音声により出力する、請求項１から５のいずれか１項に記載の電子機器の取扱いガイダンス装置。
【請求項８】
前記記憶手段には前記取扱い説明情報が、ネットワークを経由し外部装置からダウンロードされる、請求項１から７のいずれか１項に記載の電子機器の取扱いガイダンス装置。
【請求項９】
前記記憶手段には前記取扱い説明情報が、該取扱い説明情報を予め格納した記録媒体から読出されて書込まれる、請求項１から７のいずれか１項に記載の電子機器の取扱いガイダンス装置。
【請求項１０】
前記通信手段は有線通信の手段を含む、請求項１から９のいずれか１項に記載の電子機器の取扱いガイダンス装置。
【請求項１１】
前記通信手段は無線通信の手段を含む、請求項１から９のいずれか１項に記載の電子機器の取扱いガイダンス装置。
【請求項１２】
前記電子機器は携帯型電話である、請求項１から１１のいずれか１項に記載の電子機器の取扱いガイダンス装置。
【請求項１３】
前記電子機器は家庭電化機器である、請求項１から１１のいずれか１項に記載の電子機器の取扱いガイダンス装置。
【発明の詳細な説明】
【０００１】
【発明の属する技術分野】
本発明は、電子機器の取扱いガイダンス装置に関し、特に、携帯型電子機器や家庭電化製品を含む各種電子機器の取扱い操作をユーザに対して案内するための電子機器の取扱いガイダンス装置に関する。
【０００２】
【従来の技術】
携帯電話機などの携帯型電子機器では、印刷された取扱説明書が付属されたり、ＣＤ−ＲＯＭ（Ｃｏｍｐａｃｔ  Ｄｉｓｃ  Ｒｅａｄ  Ｏｎｌｙ  Ｍｅｍｏｒｙ）に記録された取扱説明書が提供されて、ユーザへの取扱説明のために利用されている。めざましく普及してきた携帯電話機などは、電話をかけて話しをするという基本機能だけでなく、電話番号やメールアドレスなどの住所録データの保存および管理、メールの送受信および管理、ネットワーク環境への接続利用（最新ニュースなどの情報検索および閲覧、画像データなどの入手、音楽データのダウンロードおよび再生など）、ゲーム機能、デジタルカメラでの画像撮影など多種多様の機能が付いており、これら機能をユーザへ説明するために取扱説明書は分厚くなり、かつ複数冊に分冊されている場合が多い。
【０００３】
パソコン（パーソナルコンピュータ）関連機器では基礎知識は既にユーザへ浸透しているという前提で取説説明書ができているケースも多く、全く基礎知識のないユーザは取説説明書を読んでも電源を入れることもできない場合があった。
【０００４】
このような冊子による取扱説明の情報提供に代替して、通信による情報提供が提案されてきた。例えば、煩雑な機能に対応してユーザ所望の情報を登録するために携帯情報通信端末とパソコンを接続してユーザ所望の情報を携帯情報通信端末に登録するものがある（例えば、特許文献１参照）。
【０００５】
また、印刷物の説明書判読の煩わしさ解消のためにガイダンス端末を利用しそのガイダンス端末と実際に使用する電子機器とを通信接続してキーワード検索による取り扱い説明方法の提供が提案されている（例えば、特許文献２参照）。
【０００６】
また携帯電話機に記憶された電子データの取扱い説明書からキーワード（項目）を抽出してサーバに送信すると、サーバは予め記憶した取扱い説明書のデータから対応の操作ガイダンスデータを読出し、携帯電話機に送信するものがある（例えば、特許文献３参照）。
【０００７】
【特許文献１】
特開２００２−４４２４６公報
【０００８】
【特許文献２】
特開２００１−２３６１５５公報
【０００９】
【特許文献３】
特開２００２−３５８３１２公報
【００１０】
【発明が解決しようとする課題】
携帯型電子機器にはユーザへ取扱方法を説明するために取扱説明書が付属しているが、機能が多いために取扱説明書は分厚くなっている。このため、ユーザは取扱方法を理解するために分厚い取扱説明書を読む必要があるが、内容が多すぎてユーザの多くは内容を理解し難い。また、携帯型電子機器を使い慣れるまでは取扱説明書を持ち運びして取扱方法を確認すべきであるが、分厚く持ち運び難かった。
【００１１】
また、例えば特許文献１で提供される方法では、あくまでも限定された情報が一方方向で携帯電話に流されるだけでありしかも端末販売業者のみがそれら情報を契約サイトにアクセスして入手可能するものでありユーザによる自由な情報入手などは何もできない。
【００１２】
また、例えば特許文献２または３で提供される方法では、直接使用する機器を操作することなくキーワードに対応した説明が表示されるだけであり実際に機器を使った対話型の取り扱い説明方法では無いため結局使ってみて初めて操作に問題が出た場合は対応できなかった。
【００１３】
それゆえに、本発明の目的は、電子機器の取扱いのための操作手順をガイダンスを受けながらより確実な取得を可能とする電子機器の取扱いガイダンス装置を提供することである。
【００１４】
【課題を解決するための手段】
この発明のある局面に従う電子機器の取扱いガイダンス装置は、操作内容を受付ける操作内容受付部を有する電子機器と通信する通信手段と、電子機器の各種機能の取扱い説明情報を記憶する記憶手段と、電子機器の所望機能に対応する記憶手段中の取扱い説明情報を用いて所望機能を実行するための操作ガイダンス情報を出力するガイダンス出力手段と、ガイダンス出力手段により操作ガイダンス情報が出力されたとき、通信手段を介して操作内容受付部により受付けられた実際の操作内容を受信して、受信した操作内容を取扱い説明情報に基づきモニタし、モニタ結果を出力するモニタ出力手段とを備える。
【００１５】
したがって、電子機器の所望機能を実行するとき対応の取扱い説明情報を用いた操作ガイダンス情報が出力される。操作ガイダンス情報が出力されているときの電子機器の操作内容は受信されて、受信された操作内容は該取扱い説明情報に基づきモニタされて、そのモニタ結果が出力される。
【００１６】
それゆえに、電子機器の所望機能を、出力される操作ガイダンス情報に従い操作して実行し、操作手順を取得できる。また、操作内容はモニタされてチェックされて、モニタ結果として出力されるから、操作者は操作内容の適否を簡単に知ることができる。
【００１７】
好ましくは、操作内容が取扱い説明情報に基づきモニタし誤っている場合には、モニタ結果は誤操作である旨を報知する情報を含む。したがって、操作者は操作内容の誤りを簡単に知ることができる。
【００１８】
好ましくは、操作内容が取扱い説明情報に基づきモニタし誤っている場合には、モニタ結果は正しい操作内容をアドバイスする情報を含む。したがって、操作内容が誤っていたとしても正しい操作内容がアドバイスされるから、操作者は操作内容を簡単に訂正できる。
【００１９】
好ましくはモニタ結果は、操作内容受付部により受付けられた実際の操作内容を電子機器の画像を用いてリアルタイムに表示する情報を含む。したがって、操作者は自己が操作内容受付部を介して操作している内容をモニタ表示で確認できる。
【００２０】
好ましくは、操作内容受付部は、外部から操作されて操作内容を受付ける外部操作部を含み、操作ガイダンス情報は外部操作部の画像を含み、ガイダンス出力手段は、所望機能を実行するために操作されるべき部分を指示するために、該部分を画像において所定態様で表示する。したがって、操作者は所望機能を実行するために外部操作部の操作すべき部分を速やかに特定できる。
【００２１】
好ましくは、操作内容受付部は、音声により操作内容を受付ける部分を含む。したがって、音声にて与えられた操作内容を受け付けることができる。
【００２２】
好ましくは、ガイダンス出力手段は、操作ガイダンス情報を音声により出力する。
【００２３】
上述のガイダンス装置は入力部をさらに備えて、出力される操作ガイダンス情報に従い入力部を操作して入力した情報を、通信手段による通信により電子機器に登録のために供給できる。
【００２４】
上述の記憶手段には取扱い説明情報が、ネットワークを経由し外部装置からダウンロードされてもよいし、取扱い説明情報を予め格納した各種記録媒体から読出されて書込まれてもよい。
【００２５】
通信手段は有線通信、無線通信を問わないし有線通信の種類や無線通信の種類（赤外線通信など）も問わない。また電子機器は携帯型電話であってもよく、家庭電化機器であってもよい。
【００２６】
【発明の実施の形態】
以下、本発明にかかわる携帯型電子機器の各種機能の取扱いを情報処理機器を用いてガイダンスする実施の形態を図面に基づいて詳細に説明する。説明を簡略にするために図１に示すように携帯型電子機器として携帯電話１０を、また情報処理機器としてパソコン（以下、ＰＣ）１１を例に取って説明する。本実施の形態ではＰＣ１１に対して接続手段であるコネクタまたは接続端子を有するケーブル１３を介して電子機器の携帯電話１０を接続し、ＰＣ１１にＣＤ−ＲＯＭ１２からインストールされた専用ソフトウェアを利用してＰＣ１１と携帯電話１０の間でデータ通信を行い、ＰＣ１１の画面上に表示される内容と携帯電話１０の動作（ＬＣＤ表示，バックライト点滅など）をリンクさせて、これによりユーザに携帯電話１０の各種機能の操作方法をガイダンスする。
【００２７】
図２を参照して、携帯電話１０はＣＰＵ（Ｃｅｎｔｒａｌ  Ｐｒｏｃｅｓｓｉｎｇ  Ｕｎｉｔ）からなる制御部１００、画面を含む表示部１０１、送受話部１０２、キーからなり外部からの操作を受付ける操作部である入力部１０３、電話帳データなどを記憶するための記憶部１０４、ＰＣ１１を含む外部装置と携帯電話１０とを通信可能に接続するための外部Ｉ／Ｆ（インターフェィスの略）１０５、およびアンテナ１０７を介して無線通信するための通信部１０６を有する。また、ＰＣ１１はＣＰＵ２００、画面などからなり情報を出力するための出力部２０１、外部から着脱自在にＦＤ（Ｆｌｅｘｉｂｌｅ  Ｄｉｓｃ）２０８が挿入されて、挿入されたＦＤ２０８について情報をアクセスするためのＦＤ駆動部２０２、キーボードなどからなり情報を入力するために操作される入力部２０３、各種情報を格納するためのメモリ２０４、携帯電話１０などの外部装置とＰＣ１１とを通信可能に接続するためのＩ／Ｆ２０５、インターネットなどの外部ネットワークを介して通信するための通信Ｉ／Ｆ２０６、外部から着脱自在にＣＤ−ＲＯＭ１２が挿入されて、挿入されたＣＤ−ＲＯＭ１２について情報をアクセスするためのＣＤ−ＲＯＭ駆動部２０７、および操作方法のガイダンスに係るメッセージなどを音声にて出力するためのスピーカなどからなる音声出力部２０９を有する。
【００２８】
先ず、ユーザは携帯電話１０を利用するに当り携帯電話事業者（以下、キャリア）に加入申し込みをし登録が済むと携帯電話１０および付属品一式を手渡される。付属品一式にはＣＤ−ＲＯＭ１２、携帯電話１０とＰＣ１１とを通信可能に接続するためのケーブル１３、およびＣＤ−ＲＯＭ取扱説明書（以下、取説）１４が含まれる。
【００２９】
ユーザはＣＤ−ＲＯＭ取説１４を開けるとそこには“初めての方への対話型操作方法”といった題があり設定方法が明記されている。それに従いユーザはＣＤ−ＲＯＭ１２を自宅のＰＣ１１のＣＤ−ＲＯＭ駆動部２０７に読取り可能にセットしてＰＣ１１を立ち上げ、ＰＣ１１のメモリ２０４に対してＣＤ−ＲＯＭ１２のデータまたはプログラムをインストールする。この１２ＣＤ−ＲＯＭには対話型取説方法のためのデータが記録されており携帯電話１０に関する各種機能を実行するための操作のガイダンス情報が全て収録されている。ＣＤ−ＲＯＭ１２のインストールが完了するとＰＣ１１の出力部２０１の画面には操作説明可能であることを意味する情報が表示がされる。次に、ユーザは携帯電話１０とＰＣ１１を外部Ｉ／Ｆ１０５とＩ／Ｆ２０５を介してケーブル１３で接続し、携帯電話１０の電源をＯＮするとＰＣ１１間で初期設定に係わる通信が開始され携帯電話１０側でも対話型取説が可能となる。このとき携帯電話１０の表示部１０１の画面には受信内容に従い“対話による操作説明です”の旨を知らせるメッセージが図３の画面Ｓ１として出力部２０１に表示される。これにより初期設定が完了する。その後は、ＣＰＵ２００によりＣＤ−ＲＯＭ１２から読込んでメモリ２０４に格納された内容に従い処理が実行される。
【００３０】
ユーザが入手した携帯電話１０に電話番号を登録する機能を、取扱い説明情報情報に従い実行する手順を図７のフローチャートに従い図３、図４、図５および図６を参照して説明する。
【００３１】
図７のステップＳＴ１では、画面Ｓ１のメッセージに従いユーザが入力部２０３を操作して矢印Ａ１の項目“開始”を選択すると、ＣＰＵ２００は画面Ｓ２に切換え表示する。ステップＳＴ２で画面Ｓ２には、通常の冊子による取説の目次と同じ内容の情報が表示される。ステップＳＴ３では、例えばその中で矢印Ａ２の項目“電話番号登録”すなわちメモリダイアル登録と一般に呼ばれている機能を入力部２０３を操作し選択して実行する。
【００３２】
このとき、ユーザは画面上で希望する操作項目“電話番号登録”が見当たらない場合、入力部２０３を操作して矢印Ａ３の項目を選択して検索のためのキーワードとして“電話番号登録”と入力し、実行するとその操作説明画面が出力部２０１に表示される。もちろんキーワードとして“電話番号”とだけ入力し実行しても“電話番号表示”とか“電話番号呼び出し”とか“電話番号登録”といった電話番号に関する操作一覧画面（図示せず）が表示されるのでユーザは希望する操作項目を選択実行すればその操作説明画面に切換え表示される。
【００３３】
表示された画面がユーザが選択した項目に該当するもので正しければ“はい”を選択し間違っていれば“いいえ”を入力部２０３を操作し選択し、それぞれを実行すれば次画面に進む。
【００３４】
画面Ｓ２で矢印Ａ２の項目“電話番号登録”について“はい”を選択実行する。ＣＰＵ２００はメモリ２０４から“電話番号登録”についての取扱い説明情報を読出し、読出した取扱い説明情報に従い“電話番号登録”の機能を実行するためのＣＰＵ２００による以下の処理が進行する。
【００３５】
ステップＳＴ４では、まず、画面Ｓ２から画面Ｓ３に切換え表示される。画面Ｓ３は携帯電話１０と同じ表示部１０１の画面を表示する。具体的には、図６に示すようにＰＣ１１の画面Ｓ３に携帯電話１０と同じ電話の画像が表示され、ケーブル１３を介して携帯電話１０から操作内容を受信することにより、携帯電話１０での操作にリンクしてＰＣ１１の画面の表示される電話の画像でも同じ動作が行なわれるようにリアルタイムに変化する。
【００３６】
またステップＳＴ４では、次に、ＣＰＵ２００より操作すべき次のボタンが何であるかが画面Ｓ３の携帯電話１０の入力部１０３のボタンを示す表示および音声出力部２０９を介した音声による指示が出力される。例えば“登録したい相手の電話番号を市外局番から順に入力下さい”と画面Ｓ３上への表示および音声により案内される。
【００３７】
ユーザは例えば０３−１２３４−５６７８を入力希望している場合、ステップＳＴ１５とＳＴ１６では携帯電話１０の入力部１０３のキーボタンで０を入力すると携帯電話１０の表示部１０１の画面上に０が表示されるとともに、ステップＳＴ１７、ＳＴ５およびＳＴ６ではリアルタイムの通信によりＰＣ１１の画面Ｓ３の携帯電話画面上にも０が表示される。同様にステップＳＴ１５〜ＳＴ１８を繰返し３、１、２と入力する度に携帯電話１０およびＰＣ１１それぞれの画面上に入力内容が表示される。このように、ＣＰＵ２００は携帯電話１０における実際の操作内容をモニタ表示する。
【００３８】
その後のステップＳＴ９では、間違いなく入力完了するとユーザはＰＣ１１の画面Ｓ３上の終了アイコン３０１を選択実行する。するとＰＣ１１画面で“確認しました”“次の操作に進みます”と表示される。このようにユーザはＰＣ１１の指示通りに入力すれば次の操作に進むことができる。
【００３９】
ステップＳＴ７とＳＴ８では、ＣＰＵ２００はケーブル１３を介して受信した携帯電話１０における実際の操作内容を、読出した取扱い説明情報に基づき適正か否かなどをモニタし、そのモニタ結果を出力（表示、音声）する。
【００４０】
ここで間違った操作をしたと想定する。例えば図５の画面Ｓ１０で０，３と入力した後に間違って＃ボタンが入力されると、ＣＰＵ２００のモニタ結果に基づき、画面Ｓ１１に切換え表示される。画面Ｓ１１では“そのボタンは電話番号には使えません。”と誤操作であることを報知するメッセージ３０２が表示されるとともに、“０〜９までのボタンを入力下さい”と正しい操作（または訂正方法）を案内するガイダンスメッセージ３０３が表示される。その後、画面Ｓ１２が表示されてユーザは改めて正しいキー、例えば数字“１”のキー入力操作をすることが可能となる。
【００４１】
このようにＰＣ１１の表示画面上には実際に操作している自分の携帯電話１０の表示部１０１と同じ操作画面がリアルタイムに表示され、しかも携帯電話１０に実際にその電話番号が登録されるため取説操作終了後、その携帯電話１０はすぐに使用可能となる。
【００４２】
以上は電話番号登録を例に取って説明したが、例えば名前を登録する場合も同様に対応の取扱い説明情報がメモリ２０４から読出されて、該情報に従う処理がＣＰＵ２００により実行される。ここでは、上述のように電話番号登録に続いて、対応する名前を登録する場合を想定する。
【００４３】
上述のようにして電話番号の指定操作が完了すると図４の画面Ｓ４が出力部２０１に表示されて、指定された電話番号を入力するための操作を促すメッツセージ３０４が表示される。この画面Ｓ４では、ＣＰＵ２００により電話番号入力のために操作すべき携帯電話１０の入力部１０３におけるボタンが点滅表示されて指示される。ユーザがメッセージ３０４に従い画面Ｓ４で点滅している入力部１０３の対応ボタンを押すと、応じてＣＰＵ２００は画面Ｓ４から画面Ｓ５に切換え表示する。
【００４４】
画面Ｓ５が表示されているとき、ＰＣ１１の画面Ｓ５上で先ず、操作例が示されその後、携帯電話１０を使ってユーザが実際に操作した通りにＰＣ１１の画面Ｓ５の携帯電話の画面にリアルタイムに表示される。また一度操作を理解するとＰＣ１１のキー操作により携帯電話１０に入力することも可能となる。
【００４５】
例えば“田中”を登録する場合、携帯電話１０では入力部１０３の“た”に当たる数字キー４を一回押し、次に“な”に当たる数字キー５を一回押し、次に“か”に当たる数字キー２を一回押すと画面上に”たなか“と表示される。切換えられた次の画面Ｓ６では漢字の”田中“に変換するための操作ガイダンス情報が表示される。ユーザは、画面Ｓ６でガイダンス表示されているファンクションキー（点滅により指定されているキー）に対応の携帯電話１０の入力部１０３のキーを押すと変換後の”田中“が表示され、ＯＫであれば“はい”を指定操作する。これにより画面Ｓ７に切換え表示される。ユーザが画面Ｓ７でガイダンス表示されている点滅ボタンに対応の携帯電話１０の入力部１０３における対応ボタンを押すと変換内容が決定されて、画面Ｓ８が切換え表示される。
【００４６】
画面Ｓ８では、今回入力の電話番号と名前を対応付けて提示して、これを記憶部１０４の電話帳に登録するか否かを問い合わせるメッセージ３０５が表示される。これを確認したユーザが入力部２０３を操作して登録指示をすると、電話帳への登録が完了する。切換えられた画面Ｓ９では登録完了した旨を報告するメッセージが表示される。
【００４７】
上述したように、携帯電話１０における実際の操作に従い順次切換え表示される画面のガイダンスメッセージに基づき操作を進めることで、登録方法を理解することができる。登録方法（手順）を理解した後は、わざわざ携帯電話１０の数字キーを使って面倒な操作をする代わりに、ＰＣ１１のキー操作によりケーブル１３で接続された携帯電話１０の記憶部１０４に対する情報の登録操作が可能となる。この手順を図８を参照して説明する。
【００４８】
上述のように出力部２０１において画面Ｓ１が表示されるまでの手順が同様に実行されて、画面Ｓ２が切換え表示されると、ユーザは画面Ｓ２の矢印Ａ４の項目“お任せ設定”を入力部２０３を操作して指定するので、ＣＰＵ２００は対応の取扱い説明情報をメモリ２０４から読出し、以降、読出した取扱い説明情報に基づく処理がＣＰＵ２００により実行される。
【００４９】
まず、図８の画面Ｓ１３を切換え表示する。ユーザは画面Ｓ１３の矢印Ａ５が示す項目“基本設定”を入力部２０３を操作して選択し実行するのでＣＰＵ２００は画面Ｓ１４に切換え表示する。画面Ｓ１４では携帯電話１０に関する各種の基本設定、例えば“待ち受け画面設定”、“日付／時刻設定”、“電話番号設定登録”、“着信メロディ設定”、“着信音量設定”および“バイブ（バイブレーション）設定”がＰＣ１１からの操作により実行できることがガイダンス表示されている。
【００５０】
ユーザは画面Ｓ１４の表示を確認してこれら項目のＰＣ１１側からの設定を希望した場合には“はい”を選択指定するので、画面Ｓ１５が切換え表示される。画面Ｓ１５ではまず、待ちうけ画面の設定のために、設定画面のための４つの候補（待受画面Ａ、Ｂ、ＣおよびＤ）がメモリ２０４から読出されて表示される。画面Ｓ１５を確認したユーザが入力部２０３を操作して待受画面Ａを選択し実行（決定）すると、決定された待受画面Ａのデータはメモリ２０４から読出されてＩ／Ｆ２０５、ケーブル１３および外部Ｉ／Ｆ１０５を経由して記憶部１０４に格納されるとともに表示部１０１に表示される。
【００５１】
画面Ｓ１３の他の項目を選択した場合にも、ＰＣ１１の表示画面のガイダンスメッセージに従い入力部２０３を介して設定などの操作することにより、携帯電話１０に対して設定した内容を登録することができる。
【００５２】
ここでは、携帯電話１０とＰＣ１１を専用のケーブル１３で接続した例を示したが、ワイヤレス例えば無線や赤外線による通信接続でも同様に実施可能である。またＰＣ１１に代替して、これと同等の機能を有すればＰＤＡ（Ｐｅｒｓｏｎａｌ  Ｄｉｇｉｔａｌ  Ａｓｓｉｓｔａｎｔｓ）などの情報処理機器であっても実施可能である。
【００５３】
また取説情報のソフトはＣＤ−ＲＯＭ１２を介して供給されるとしたがこれに限定されない。例えば、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）と言ったイントラネット経由、インターネットあるいはホットスポットといった無線ＬＡＮなどを経由してキャリアやキャリア管理のサービス店のサーバに直接アクセスし、サーバに格納されたＣＤ−ＲＯＭと同じ対話型ガイダンスソフトをＰＣ１１にダウンロードすることでも実施可能である。
【００５４】
またキャリアのサービス店に赴きＣＤ−ＲＯＭ１２の代わりにＳＤＲＡＭ（Ｓｙｎｃｈｒｏｎｏｕｓ  Ｄｙｎａｍｉｃ  Ｒａｎｄｏｍ  Ａｃｃｅｓｓ  Ｍｅｍｏｒｙ）、メモリースティック、ＦＤ２０８といったリムーバブルメディアにその対話型ガイダンスソフトをダウンロードし、ＰＣ１１のような情報処理機器と接続することで該ソフトを立ち上げて同様の操作をすることも可能である。
【００５５】
また、携帯電話１０の全ての機能を使いこなす必要がない、すなわち基本的な操作およびそれに付随した便利機能さえ操作できれば十分であるというユーザについては、ＰＣ１１におけるガイダンス表示画面でユーザはそのような希望を選択できて、非常に短い時間で携帯電話１０に対して情報登録などが完了できるようにしてもよい。
【００５６】
また、ＰＣ１１を用いて取説のガイダンス表示がなされて情報などが登録される電子機器は、上述の携帯電話１０に限定されず、家庭内に設置された電化製品であってもよい。近年はインターネットに接続できる家電製品が出現したことで家庭内ＬＡＮを利用してＰＣ１１と接続可能となり対話型のガイダンス表示に従う取説習得が可能となる。
【００５７】
図９には一般家庭の家庭内ＬＡＮ２０を用いた応用例が示される。公衆の電話回線１７はジャック、スプリッタを介して家庭内に引き込まれて、家庭内では電話回線１７に一般加入の電話１８が接続されるとともに、モデム１６が接続される。モデム１６を介して電話回線１７にＰＣ１１が接続されて、家庭内ＬＡＮ２０およびモデム１６を介して電話回線１７とＰＣ１１に電子レンジ１５が接続される。家庭内の冷蔵庫２３はその無線モデム２２を介してモデム１６に接続の無線モデム２４と通信する。これにより冷蔵庫２３は電話回線１７とＰＣ１１と通信でき、さらには電子レンジ１５とも通信可能である。これにより家庭内ＬＡＮ２０を利用してＰＣ１１と接続可能となった電子レンジ１６では、対話型のガイダンス表示に従う取説習得が可能となる。同様に冷蔵庫２３についても無線通信およびモデム１６を介してＰＣ１１と通信接続可能となる。
【００５８】
以上、本実施の形態によれば複雑化する電子機器の各種機能の取扱操作をあたかも熟知した人間と対話しながら覚えるような環境を手持ちのＰＣ１１などで簡単に実現できる。そのため従来のような膨大な説明書をめくって複雑な操作を一つ一つ習得することが無くなり、お年寄りなどの初心者であっても電子機器の各種機能の操作手順を簡単に取得できる。
【００５９】
なお、ここでは操作内容を受付ける部位として、外部から実際に操作されるキー入力部などの操作部を例示しているが、これに限定されず、例えば操作内容を音声入力して、入力した音声を認識して指示された操作内容を受付けるようにしてもよい。
【００６０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００６１】
【発明の効果】
この発明によれば、電子機器の所望機能を、出力される操作ガイダンス情報に従い操作して実行できる。また、操作内容はモニタされてチェックされて、モニタ結果として出力されるから、操作者は操作のモニタ結果を知ることができる。
【図面の簡単な説明】
【図１】本発明の実施の形態の各部の接続態様を表す図である。
【図２】本発明の実施の形態の携帯電話とＰＣのブロック図である。
【図３】本発明の実施の形態の対話型の基本操作ガイダンス時の表示画面例を示す図である。
【図４】本発明の実施の形態の対話型の基本操作ガイダンス時の表示画面例を示す図である。
【図５】本発明の実施の形態の対話型の基本操作ガイダンス時の表示画面例を示す図である。
【図６】本発明の実施の形態の携帯電話とＰＣの接続状態を表示画面とともに説明する図である。
【図７】本発明の実施の形態の処理手順を示すフローチャートである。
【図８】本発明の実施の形態のＰＣ側から携帯電話へ情報設定する状態を説明する図である。
【図９】本発明の実施の形態の家庭内ＬＡＮによる応用例を示す図である。
【符号の説明】
１０  携帯型電子機器、１１  ＰＣ、１２  ＣＤ−ＲＯＭ、１３  ケーブル、１４  ＣＤ−ＲＯＭの取扱説明書、１０１  表示部、１０３，２０３  入力部、２０１  出力部、２０７  ＣＤ−ＲＯＭ駆動部、２０９  音声出力部。
【図１】
2004310515.tif 000003
【図２】
2004310515.tif 000004
【図３】
2004310515.tif 000005
【図４】
2004310515.tif 000006
【図５】
2004310515.tif 000007
【図６】
2004310515.tif 000008
【図７】
2004310515.tif 000009
【図８】
2004310515.tif 000010
【図９】
2004310515.tif 000011